(57)【特許請求の範囲】
【請求項１】
前面の下端部が内側にくぼんだ蹴込み形状のキャビネットに収納され、ワゴン本体と、ワゴン本体がキャビネットに収納されたときにその前面と略面一になる化粧部と、ワゴン本体の上方に設けられ作業者が座る座部と、ワゴン本体の下端に設けられたキャスターと、を備えてなるキャスター付ワゴンであって、化粧部の下端にはキャビネットの蹴込み形状に対応した段所が形成されており、ワゴン本体の前側に位置する前キャスターを化粧部の段所の後方内側に設け、且つ、座部を前キャスターよりも後方に設けて、座部の背もたれの内面を段所よりも後方に位置させたことを特徴とするキャスター付ワゴン。
【請求項２】
ワゴン本体が後方に突出した足置き部を有しており、この足置き部の下方におもりを設けたことを特徴とする請求項１記載のキャスター付ワゴン。
【発明の詳細な説明】
【技術分野】
【０００１】
本願発明は、キャビネットに収納されるキャスター付ワゴンに関する。
【背景技術】
【０００２】
従来、厨房装置や洗面化粧台などのキャビネットの下部端は、横方向に沿って奥側にくぼんだ段部が形成され、蹴込み形状となっている。キャビネットを蹴込み形状とすることで、作業者の足のつま先が収納され、作業者がよりキャビネットに接近して作業できるため、楽な姿勢で作業することが出来る。
【０００３】
一方、キャビネットには、キャビネットから出し入れ自在なワゴンを設けることがある。キャビネットが蹴込み形状である場合には、特開２００１−６１５７３号公報に示されるように、ワゴンにも段所を設け、蹴込み形状とすることで、ワゴンを収納しても、キャビネット全体として蹴込み部が形成されることで作業者が使い勝手がよく、又、ワゴンがキャビネットに収納されるとワゴンとキャビネットとのデザインが統一されているため見栄えの良いキャビネットセットとなる。
【０００４】
このワゴンの用途としては、可動式のキャビネット、可動式のゴミ箱などが挙げられるが、作業者用の椅子として用いることもある（例えば、特開平１０−５０５１号公報）。特に、蹴込み形状のワゴンを椅子として用いる場合、キャスターの納まりを考慮してキャスターを蹴込み部の内側に配置すると、作業者が座って重心が後方にかかったとき、ワゴンのバランスが崩れることが考えられた。
【特許文献１】特開２００１−６１５７３号公報
【特許文献２】特開平１０−５０５１号公報
【発明の開示】
【発明が解決しようとする課題】
【０００５】
本願発明は、上記背景技術に鑑みて発明されたものであり、その課題は、蹴込み部を有するキャビネットに収納されたときその前面と略面一となり意匠性を損なわず収納されると共に、バランス性に優れたキャスター付ワゴンを提供することである。
【課題を解決するための手段】
【０００６】
上記課題を解決するために、本願発明の請求項１記載のキャスター付ワゴンにおいては、前面の下端部が内側にくぼんだ蹴込み形状のキャビネットに収納され、ワゴン本体と、ワゴン本体がキャビネットに収納されたときにその前面と略面一になる化粧部と、ワゴン本体の上方に設けられ作業者が座る座部と、ワゴン本体の下端に設けられたキャスターと、を備えてなるキャスター付ワゴンであって、化粧部の下端にはキャビネットの蹴込み形状に対応した段所が形成されており、ワゴン本体の前側に位置する前キャスターを化粧部の段所の内側に設け、且つ、座部を前キャスターよりも後方に設けて、座部の背もたれの内面を段所よりも後方に位置させている。
【０００７】
又、請求項２記載のキャスター付ワゴンにおいては、ワゴン本体が後方に突出した足置き部を有しており、この足置き部の下方におもりを設けている。
【発明の効果】
【０００８】
本願発明の請求項１に係るキャスター付ワゴンによると、キャスター付ワゴンの化粧部の下端にキャビネットの蹴込み形状に対応させた段所を形成しているため、蹴込み形状のキャビネットに収納してもキャビネットと一体的に収納されるため見栄えが良く、又、座部を前キャスターよりも後方に設けているため、蹴込み形状を有しながらも、キャスター付ワゴンの重心を安定させることができ、作業者がキャスター付ワゴンに座って背側に体を預けても重心が安定し、転倒しにくいバランス性の優れたキャスター付ワゴンとなる。
又、請求項２に係るキャスター付ワゴンによると、キャスター付ワゴンのより後方且つより下方におもりを設けることができ、前キャスターを中心とする回転モーメントに対して最も有効な位置におもりを設けることができるとともに、足置き部の下方であるため、作業者にとって邪魔になりにくく、見栄えも害さない。
【発明を実施するための最良の形態】
【０００９】
図１〜５は、本願の請求項１及び２の全てに対応した第一の実施形態であるキャスター付ワゴンを示している。この実施形態のキャスター付ワゴンは、図１に示すように、前面１の下端部が内側にくぼんだ蹴込み形状のキャビネットＣに収納され、ワゴン本体２と、ワゴン本体２がキャビネットＣに収納されたときにその前面１と略面一になる化粧部３と、ワゴン本体２の上方に設けられ作業者が座る座部４と、ワゴン本体２の下端に設けられたキャスター５と、を備えてなるキャスター付ワゴンであって、化粧部３の下端にはキャビネットＣの蹴込み形状に対応した段所６が形成されており、ワゴン本体２の前側に位置する前キャスター５ａを化粧部３の段所６の内側に設け、且つ、座部４を前キャスター５ａよりも後方に設けている。
【００１０】
又、化粧部３の内側で座部４の背側に収納スペースＳを形成している。
【００１１】
以下、この実施形態のキャスター付ワゴンを、より具体的詳細に説明する。この実施形態のキャスター付ワゴンは、図１に示すように、厨房装置などのような前面１の下端部が内側にくぼんだ蹴込み形状のキャビネットＣに収納されるものである。この厨房装置の場合、最下段の引き出しの前板７が段部１ａを有しており、蹴込み形状となっている。
【００１２】
このキャビネットＣに収納されるキャスター付ワゴンは、図３及び４に示すように、アルミニウムのフレームで組み立てられたワゴン本体２と、ワゴン本体２の上方に設けられ作業者が座る座部４と、ワゴン本体２の背側に設けられた化粧部３と、ワゴン本体２の下端に設けられたキャスター５とを備えている。
【００１３】
ワゴン本体２は、水平方向に略矩形に枠組みされた基部８と、基部８の上の左右に立設された略矩形の側フレーム９と、基部８の背側に立設された略矩形の背フレーム１０と、両側フレーム９の上方に掛け渡され上方の開口を閉塞する上板１１とからなり、全体で略箱型に組まれている。側フレーム９の後ろ側、すなわちキャビネットＣに収納される側の上端はＲ形状となっており、又、基部８は側フレーム９よりもやや後方に突出している。又、基部８の両側面には、それぞれ断面略コ字型で長尺形状のスライドレール１２が設けられており、キャビネットＣに設けられたレール片１３に対応している。従って、キャスター付ワゴンをキャビネットＣに収納するときには、このスライドレール１２がレール片１３に沿って案内され、スムーズに収納されることとなる。
【００１４】
この場合、化粧部３は上方の化粧前板３ａと下方の化粧蹴込み板３ｂとからなっており、化粧蹴込み板３ｂはワゴン本体２の背フレーム１０及び基部８に取り付けられ、又、化粧前板３ａは取り付け部材１４を介してワゴン本体２の背フレーム１０に取り付けられている。従って、化粧前板３ａは化粧蹴込み板３ｂより外側に設けられ、化粧前板３ａと化粧蹴込み板３ｂとにより段所６が形成されている。化粧前板３ａの上端にはその幅方向の全長に渡って、断面略コ字型で長尺形状のライン状取手１５が設けられている。なお、この化粧前板３ａ、化粧蹴込み板３ｂ及びライン状取手１５は、キャビネットＣと同じ素材を用いて形成することが望ましく、そうすることでキャビネットＣとキャスター付ワゴンとが統一されたデザインとなる。従って、取手の形状もライン状取手１５に限定されること無く、キャビネットＣの引き出しの設けられた取手の形状に対応させることとなる。
【００１５】
このワゴン本体２の下端には前後２列のキャスター５が設けられている。この場合、後ろ側、すなわちキャビネットＣに収納される側の２つの後キャスター５ｂは基部８の後隅にそれぞれ設けられており、又、前側、すなわち化粧部３側に設けられている２つの前キャスター５ａは基部８の化粧部３の内側に設けられている。従って、前キャスター５ａは、化粧部３の内側に収まっており、キャスター付ワゴンをキャビネットＣに収納したとき、外部からキャスター５が見えない構造となっており、キャスター付ワゴンがキャビネットCに収納されると、図２に示すように、あたかもキャビネットＣの引き出しの一部のような外観となる。
【００１６】
ワゴン本体２の上方、この場合には上板１１の上には作業者が座る座部４が形成されている。この場合、この座部４は略垂直上方に突出した背もたれ１６を有している。背もたれ１６を設けることで、作業者が座っても体を預けて楽に作業できると共に、作業者の姿勢が背側に傾きすぎることを抑え、キャスター付ワゴンのバランスを安定化させることができる。この座部４は、前キャスター５ａよりも後方すなわちキャビネットＣに収納される側に設けられ、その後端はキャビネットＣの側フレーム９の縦桟９ａの位置に略一致している。この場合、前キャスター５ａを支持するキャスター軸５ｃよりも、座部４の背もたれ１６の内面、すなわち作業者の背が当接される面が後方となるように設計されている。なお、ここでの前キャスター５ａよりも後方とは、前キャスター５ａの略上方であることも含み、前キャスター５ａよりも前方にないことを意味する。
【００１７】
この座部４の両側、すなわち側フレーム９の上方には、手すり１７が設けられており、この手すり１７は略逆Ｌ字のフレーム状で、ワゴン本体２の背フレーム１０と側フレーム９とに掛け渡されている。この手すり１７のＬ字コーナー部分はＲ形状となっており、側フレーム９の上部と略同形状となっている。この場合、手すり１７は側フレーム９の後上端よりも内側、すなわち座部４の途中位置から形成されており、これにより、作業者が座部４に座ったときに手すり１７がちょうど手を下ろした位置になるとともに、図５に示すように、このキャスター付ワゴンをシンク１８下に収納したとき、シンク１８やシンク１８に設けられた排水配管１９をよける形状となっている。
【００１８】
座部４の背側、すなわち化粧部３の内側には、収納スペースＳが形成されており、この場合、仕切り部材としてフレームで形成された枠体２０が設けられている。この収納スペースＳは、キャスター付ワゴンの段所６の上方に位置し、座部４の後方位置を有効に活用している。この収納スペースＳには、書籍や取扱説明書などの冊子類や、ビニール素材またはアルミニウム素材のラップやキッチンペーパーなどの調理用小物などを収納できる。この収納スペースＳの枠体２０は、収納スペースＳから着脱自在に設けることも可能であり、それにより、収納物も出し入れ可能となる。
【００１９】
又、基部８は側フレーム９よりもやや後方に突出しているが、この突出した部分は、作業者が足を置ける足置き部２１となっている。この足置き部２１の下方にはおもり２２が設けられている。この場合、アルミニウム製で上方に開口した略箱型のおもり取付部材２３の内部に、金属、コンクリートなどの比重が大きい素材を充填し、これを足置き部２１の下方に設けている。これにより、キャスター付ワゴン全体の重心を後方に偏らせることで、作業者が化粧部３側に体重を移動させてもバランスが保たれる。又、キャスター付ワゴンをキャビネットＣから引き出すときには化粧部３のライン状取手１５を持って引き出すことになるが、そのときにもワゴン全体の重心が後方となるため、後キャスター５ｂが床から浮きにくく、スムーズに引き出すことができる。又、おもり２２が足置き部２１の下方に設けられているため、キャスター付ワゴンのより後方且つより下方におもり２２を設けることができ、前キャスター５ａを中心とする回転モーメントに対して最も有効な位置におもり２２を設けることができるとともに、足置き部２１の下方であるため、作業者にとって邪魔になりにくく、見栄えも害さない。
【００２０】
又、化粧部３の下端には、ストッパー２４が設けられている。このストッパー２４は、化粧部３の下端に直接取り付けてもよいが、この場合、基部８の化粧部３側に取り付けられたアルミニウム製のストッパー取付部材２５を介して取り付けられている。このストッパー取付部材２５は、図５に示すように、断面略逆直角三角形で、この底辺が基部８に取り付けられるとともに、その先端にシリコンゴム、ブタジエンゴムなどでできた弾性を有するストッパー２４が取り付けられ、ストッパー機構を形成している。又、この場合、ストッパー取付部材２５及びストッパー２４は化粧部３には直接当接していない。従って、仮にキャスター付ワゴンの前方、すなわち化粧部３側に重心が偏っても、ストッパー２４が床に当接することで転倒が防止されると共に、化粧部３が直接床に当接しないため化粧部３が傷つきにくい。又、この場合、ストッパー２４がストッパー取付部材２５を介して化粧部３とは当接せずに設けられているため、ストッパー機構全体として弾性を有し、そのため、ストッパー２４の床への当接時に緩衝作用を奏し、更に化粧部３が傷つきにくくなる。
【００２１】
又、ワゴン本体２の内部の空間には、複数のワゴン引き出し２６が設けられている。このワゴン引き出し２６は、線材で形成された上方に開口した略箱型で、この場合、上下２つ設けられている。このワゴン引き出し２６の前端縁及び後端縁にはそれぞれフランジ状の係合レール２７が形成されており、この係合レール２７は、ワゴン本体２の側フレーム９の縦桟９ａ及び背フレーム１０に設けられた断面略コ字型の係合片２８に案内されることで、出し入れ自在に設けられている。すなわち、このワゴン引き出し２６は、ワゴン本体２の左右方向、すなわち側面側から引き出し可能としている。従ってこのワゴン引き出し２６は、作業者が座部４に座ったときでも側面側から引き出し可能となる。なおこの場合、このワゴン引き出し２６には、一定幅以上引き出せないようなストッパーを設けている。
【００２２】
従って、この実施形態のキャスター付ワゴンにおいては、キャスター付ワゴンの化粧部３の下端にキャビネットＣの蹴込み形状に対応させた段所６を形成しているため、蹴込み形状のキャビネットＣに収納してもキャビネットＣと一体的に収納されるため見栄えが良い。すなわち、キャビネットＣにキャスター付ワゴンを収納すると、化粧部３によりキャスター付ワゴンはキャビネットＣの引き出しと区別がつかなくなり、統一感のあるデザインとなる。又、座部４を前キャスター５ａよりも後方に設けているため、蹴込み形状を有しながらも、キャスター付ワゴンの重心を安定させることができ、作業者がキャスター付ワゴンに座って背側に体を預けても重心が安定し、転倒しにくいバランス性の優れたキャスター付ワゴンとなる。
【００２３】
又、化粧部３の内側で座部４の背側に収納スペースＳを形成することで、化粧部３の裏側の空間、すなわち蹴込み形状の段所６の上方の空間を有効に利用でき、料理本や取扱説明書などの冊子やラップやキッチンペーパーのような小物などを収納できる。特にキャスター付ワゴンに座って作業を行う場合、座りながら小物を出し入れできるため、非常に便利である。又、この蹴込み形状を有するキャスター付ワゴンは作業時の重心を考え、前キャスター５ａ及び座部４が化粧部３よりも内側に位置しているため、この化粧部３の裏側の空間は比較的広く形成されるため、この空間を活用することは収納率の向上と言う点から見て有効である。
【００２４】
図６〜８は、本願の請求項１及び２に対応した第二の実施形態であるキャスター付ワゴンを示している。このキャスター付ワゴンの場合、キャビネットＣの蹴込み形状が最下段の引き出しの前板７自体が段部１ａを有しているのではなく、キャビネットＣの躯体２９が引き出しの前板７の戸当たりとなり、キャビネットＣの躯体２９よりも引き出しの前板７が突出することで段部１ａを形成し、蹴込み形状となっている。従って、キャスター付ワゴンの化粧部３には、キャビネットＣの引き出しの前板７に対応した化粧前板３ａと、キャビネットＣの躯体２９に対応した化粧蹴込み板３ｂが設けられている。又、キャビネットＣの最下段の引き出しにライン状取手１５が設けられているため、キャスター付ワゴンの化粧部３の中ほどにも横方向に沿ったライン状取手１５を設けている。従って、キャスター付ワゴンをキャビネットＣに収納したときには、図７に示すように、ライン状取手１５が一直線にそろい、意匠的に優れたキャビネットセットとなる。
【００２５】
それ以外の構成は上記実施形態と同じであり、効果についても同様の効果を奏する。
【００２６】
なお、本願発明は上記実施形態に限定されるものではなく、例えば、洗面化粧台のようなキャビネットＣについても用いることができる。又、キャビネットＣ及びそれに対応したキャスター付ワゴンの化粧部３の形状についても上記実施形態には限定されず、例えば、化粧部３が化粧前板３ａと化粧蹴込み板３ｂに分割されておらず、一体に形成されていてもよい。又、用途も作業者が座って作業するための椅子としてだけではなく、作業者が座部４の上方に立って作業するための脚立としての用途もある。
【図面の簡単な説明】
【００２７】
【図１】本願発明の第一の実施形態であるキャスター付ワゴンの使用例を示す斜視図。
【図２】同キャスター付ワゴンがキャビネットに収納された状態を示す斜視図。
【図３】同キャスター付ワゴンの側面図。
【図４】同キャスター付ワゴンの正面図。
【図５】同キャスター付ワゴンをキャビネットに収納したときの部分断面図。
【図６】本願発明の第二の実施形態であるキャスター付ワゴンの使用例を示す斜視図。
【図７】同キャスター付ワゴンがキャビネットに収納された状態を示す斜視図。
【図８】同キャスター付ワゴンの側面図。
【符号の説明】
【００２８】
１    前面
１ａ  段部
２    ワゴン本体
３    化粧部
３ａ  化粧前板
３ｂ  化粧蹴込み板
４    座部
５    キャスター
５ａ  前キャスター
５ｂ  後キャスター
５ｃ  キャスター軸
６    段所
７    前板
８    基部
９    側フレーム
９ａ  縦桟
１０  背フレーム
１１  上板
１２  スライドレール
１３  レール片
１４  取り付け部材
１５  ライン状取手
１６  背もたれ
１７  手すり
１８  シンク
１９  排水配管
２０  枠体
２１  足置き部
２２  おもり
２３  おもり取付部材
２４  ストッパー
２５  ストッパー取付部材
２６  ワゴン引き出し
２７  係合レール
２８  係合片
２９  躯体
Ｃ    キャビネット
Ｓ    収納スペース
【図１】
0004604972.tif 000002
【図２】
0004604972.tif 000003
【図３】
0004604972.tif 000004
【図４】
0004604972.tif 000005
【図５】
0004604972.tif 000006
【図６】
0004604972.tif 000007
【図７】
0004604972.tif 000008
【図８】
0004604972.tif 000009